【手続補正書】
【提出日】平成19年10月31日(2007.10.31)
【手続補正１】
【補正対象書類名】明細書
【補正対象項目名】特許請求の範囲
【補正方法】変更
【補正の内容】
【特許請求の範囲】
【請求項１】  ポリアミド酸、またはポリアミド酸を脱水閉環して得られるポリイミドと、下記式（１）で表されるイミド化合物を含有する樹脂組成物。
【化１】
2002145858.tif 000001
（式中、Ｒ11はイミド基を含まない１価の有機基または水素、Ｒ12は２個以上の環構造を含み、イミド基を含まない１価の有機基である）
【請求項２】  ポリアミド酸、またはポリアミド酸を脱水閉環して得られるポリイミドと、下記式（２）で表されるイミド化合物を含有する樹脂組成物。
【化２】
2002145858.tif 000002
（式中、Ｒ13は１価の有機基、Ｇ1は２価の有機基、Ｇ2は３価の有機基、Ａ1、Ａ2は、単結合または２価の有機基、ｎは０または１である）
【請求項３】  ポリアミド酸、またはポリアミド酸を脱水閉環して得られるポリイミドと、下記式（３）で表されるイミド化合物を含有する樹脂組成物。
【化３】
2002145858.tif 000003
（式中、Ｒ14は１価の有機基であり、Ｒ15、Ｒ16はそれぞれ独立して１価の有機基または水素である）
【請求項４】  式（１）中のＲ12が２個のシクロヘキシル基を含む１価の有機基である請求項１に記載の樹脂組成物。
【請求項５】  式（２）中のＲ13が環構造を含む１価の有機基である請求項２に記載の樹脂組成物。
【請求項６】  式（３）中のＲ14が環構造を含む１価の有機基である請求項３に記載の樹脂組成物。
【請求項７】  請求項１に記載の樹脂組成物を加熱または化学処理することにより得られる樹脂成分を含む、液晶配向膜。
【請求項８】  請求項２に記載の樹脂組成物を加熱または化学処理することにより得られる樹脂成分を含む、液晶配向膜。
【請求項９】  請求項３に記載の樹脂組成物を加熱または化学処理することにより得られる樹脂成分を含む、液晶配向膜。
【請求項１０】  請求項４に記載の樹脂組成物を加熱または化学処理することにより得られる樹脂成分を含む、液晶配向膜。
【請求項１１】  請求項５に記載の樹脂組成物を加熱または化学処理することにより得られる樹脂成分を含む、液晶配向膜。
【請求項１２】  請求項６に記載の樹脂組成物を加熱または化学処理することにより得られる樹脂成分を含む、液晶配向膜。
【請求項１３】  下記式（１）で表されるイミド化合物を含有する液晶組成物。
【化４】
2002145858.tif 000004
（式中、Ｒ11はイミド基を含まない１価の有機基または水素、Ｒ12は２個以上の環構造を含み、イミド基を含まない１価の有機基である）
【請求項１４】  下記式（２）で表されるイミド化合物を含有する液晶組成物。
【化５】
2002145858.tif 000005
（式中、Ｒ13は１価の有機基、Ｇ1は２価の有機基、Ｇ2は３価の有機基、Ａ1、Ａ2は、単結合または２価の有機基、ｎは０または１である）
【請求項１５】  下記式（３）で表されるイミド化合物を含有する液晶組成物。
【化６】
2002145858.tif 000006
（式中、Ｒ14は１価の有機基であり、Ｒ15、Ｒ16はそれぞれ独立して１価の有機基または水素である）
【請求項１６】  式（１）中のＲ12が２個のシクロヘキシル基を含む１価の有機基である請求項１３に記載の液晶組成物。
【請求項１７】  式（２）中のＲ13が環構造を含む１価の有機基である請求項１４に記載の液晶組成物。
【請求項１８】  式（３）中のＲ14が環構造を含む１価の有機基である請求項１５に記載の液晶組成物。
【請求項１９】  請求項１３〜１８のいずれか１項に記載の液晶組成物を用いた液晶表示素子。
【請求項２０】  表示画素電極が形成さた第一の基板と、その表示画素電極に対向する範囲に対向電極が形成された第二の基板とからなり、これら双方の基板表面に請求項７または１０に記載の液晶配向膜が形成され、かつ互いに一定の間隔になるように保持されたこれらの基板の間に液晶組成物が挟持されていることを特徴とする液晶表示素子。
【請求項２１】  表示画素電極が形成さた第一の基板と、その表示画素電極に対向する範囲に対向電極が形成された第二の基板とからなり、これら双方の基板表面に請求項８または１１に記載の液晶配向膜が形成され、かつ互いに一定の間隔になるように保持されたこれらの基板の間に液晶組成物が挟持されていることを特徴とする液晶表示素子。
【請求項２２】  表示画素電極が形成さた第一の基板と、その表示画素電極に対向する範囲に対向電極が形成された第二の基板とからなり、これら双方の基板表面に請求項９または１２に記載の液晶配向膜が形成され、かつ互いに一定の間隔になるように保持されたこれらの基板の間に液晶組成物が挟持されていることを特徴とする液晶表示素子。
【請求項２３】  液晶組成物が、式（I）、（II）または（III）で表される化合物群から選択される化合物を少なくとも１種含有する液晶組成物である、請求項２０〜２２のいずれか１項に記載の液晶表示素子。
【化７】
2002145858.tif 000007
（これらの式中、Ｒ1は炭素数１〜１０のアルキルであり、この基の任意の−ＣＨ2−は−Ｏ−または−ＣＨ＝ＣＨ−で置換されてもよいが、−Ｏ−が隣接することはなく、また、この基の任意の水素はフッ素で置換されてもよく；Ｘ1はフッ素、塩素、−ＣＦ3、−ＯＣＦ3、−ＯＣＦ2Ｈ、−ＣＦ2Ｈ、−ＣＦＨ2、−ＯＣＦ2ＣＦ2Ｈまたは−ＯＣＦ2ＣＦＨＣＦ3であり；Ｌ1およびＬ2は各々独立して水素またはフッ素であり；Ｚ1およびＺ2は各々独立して−（ＣＨ2）2−、−（ＣＨ2）4−、−ＣＯＯ−、−ＯＣＯ−、−ＣＦ2Ｏ−、−ＯＣＦ2−、−ＣＨ＝ＣＨ−または単結合であり；環Ｂは１，４−シクロヘキシレン、１，３−ジオキサン−２，５−ジイル、１，４−フェニレンまたは環の水素がフッ素で置換された１，４−フェニレンであり；環Ｃは１，４−シクロヘキシレン、１，４−フェニレンまたは環の水素がフッ素で置換された１，４−フェニレンである）
【請求項２４】  液晶組成物が、式（IV）または（V）で表される化合物群から選択される化合物を少なくとも１種含有する液晶組成物である、請求項２０〜２２のいずれか１項に記載の液晶表示素子。
【化８】
2002145858.tif 000008
（これらの式中、Ｒ2およびＲ3は各々独立して炭素数１〜１０のアルキルであり、この基の任意の−ＣＨ2−は−Ｏ−または−ＣＨ＝ＣＨ−で置換されてもよいが、−Ｏ−が隣接することはなく、またこの基の任意の水素はフッ素で置換されてもよく；Ｘ2は−ＣＮまたは−Ｃ≡Ｃ−ＣＮであり；環Ｄは１，４−シクロヘキシレン、１，４−フェニレン、１，３−ジオキサン−２，５−ジイル、またはピリミジン−２，５−ジイルであり；環Ｅは１，４−シクロヘキシレン、ピリミジン−２，５−ジイル、１，４−フェニレンまたは環の水素がフッ素で置換された１，４−フェニレンであり；環Ｆは１，４−シクロヘキシレンまたは１，４−フェニレンであり；Ｚ3は−（ＣＨ2）2−、−ＣＯＯ−、−ＯＣＯ−または単結合であり；Ｌ3、Ｌ4およびＬ5は各々独立して水素またはフッ素であり；ｅ，ｆおよびｇは各々独立して０または１である）
【請求項２５】  液晶組成物が、式（VI）、（VII）または（VIII）で表される化合物群から選択される化合物を少なくとも１種含有する液晶組成物である、請求項２０〜２２のいずれか１項に記載の液晶表示素子。
【化９】
2002145858.tif 000009
（これらの式中、Ｒ4およびＲ5は各々独立して炭素数１〜１０のアルキルであり、この基の任意の−ＣＨ2−は−Ｏ−または−ＣＨ＝ＣＨ−で置換されてもよいが、−Ｏ−が隣接することはなく、またこの基の任意の水素はフッ素で置換されてもよく；環Ｇおよび環Ｉは各々独立して１，４−シクロヘキシレンまたは１，４−フェニレンであり；Ｌ6およびＬ7は各々独立して水素またはフッ素であるが、Ｌ6およびＬ7が同時に水素であることはなく；Ｚ4およびＺ5は各々独立して−（ＣＨ2）2−、−ＣＯＯ−、−ＯＣＯ−または単結合である）
【請求項２６】  液晶組成物が、第１成分として、前記式（I）、（II）または（III）で表される化合物群から選択される化合物を少なくとも１種含有し、第２成分として、式（IX）、（X）または（XI）で表される化合物群から選択される化合物を少なくとも１種含有する液晶組成物である、請求項２０〜２２のいずれか１項に記載の液晶表示素子。
【化１０】
2002145858.tif 000010
（これらの式中、Ｒ6およびＲ7は各々独立して炭素数１〜１０のアルキルであり、この基の任意の−ＣＨ2−は−Ｏ−または−ＣＨ＝ＣＨ−で置換されてもよいが、−Ｏ−が隣接することはなく、またこの基の任意の水素はフッ素で置換されてもよく；環Ｊ、環Ｋおよび環Ｍは各々独立して１，４−シクロヘキシレン、ピリミジン−２，５−ジイル、１，４−フェニレンまたは環の水素がフッ素で置換された１，４−フェニレンであり；Ｚ6およびＺ7は各々独立して−（ＣＨ2）2−、−Ｃ≡Ｃ−、−ＣＯＯ−、−ＯＣＯ−、−ＣＨ＝ＣＨ−または単結合である）
【請求項２７】  液晶組成物が、第１成分として、前記式（IV）または（V）で表される化合物群から選択される化合物を少なくとも１種含有し、第２成分として、前記式（IX）、（X）または（XI）で表される化合物群から選択される化合物を少なくとも１種含有する液晶組成物である、請求項２０〜２２のいずれか１項に記載の液晶表示素子。
【請求項２８】  液晶組成物が、第１成分として、前記式（VI）、（VII）または（VIII）で表される化合物群から選択される化合物を少なくとも１種含有し、第２成分として、式（IX）、（X）または（XI）で表される化合物群から選択される化合物を少なくとも１種含有する液晶組成物である、請求項２０〜２２のいずれか１項に記載の液晶表示素子。
【請求項２９】  液晶組成物が、第１成分として、前記式（I）、（II）または（III）で表される化合物群から選択される化合物を少なくとも１種含有し、第２成分として、前記式（IV）または（V）で表される化合物群から選択される化合物を少なくとも１種含有し、第３成分として、前記式（IX）、（X）または（XI）で表される化合物群から選択される化合物を少なくとも１種含有する液晶組成物である、請求項２０〜２２のいずれか１項に記載の液晶表示素子。
【請求項３０】式（１）で表されるイミド化合物。
【化１１】
2002145858.tif 000011
（式中、Ｒ11はイミド基を含まない１価の有機基または水素、Ｒ12は２個のシクロヘキシル基を含みイミド基を含まない１価の有機基である。）
【請求項３１】  式（２）で表されるイミド化合物。
【化１２】
2002145858.tif 000012
（式中、Ｒ13は環構造を含む１価の有機基、Ｇ1は２価の有機基、Ｇ2は３価の有機基、Ａ1、Ａ2は、単結合または２価の有機基、ｎは０または１である。）
【請求項３２】  式（３）で表されるイミド化合物。
【化１３】
2002145858.tif 000013
（式中、Ｒ14は環構造を含む１価の有機基であり、Ｒ15、Ｒ16はそれぞれ独立して１価の有機基または水素である。）